(57)【特許請求の範囲】
【請求項１】
密閉容器内に収納された電動要素及び該電動要素の回転軸にて駆動される圧縮要素とを備え、該電動要素は固定子巻線が巻装された固定子と、前記回転軸に固定され、磁性金属が埋め込まれた回転子とから成り、前記固定子の固定子巻線への通電により、前記回転子の磁性金属を着磁して成る圧縮機において、
前記回転軸に取り付けられ、前記磁性金属の着磁の際の前記回転子の回り止めとして利用される着磁用プレートを備え、
前記固定子と回転子間にギャップゲージを挿入する際に当該ギャップゲージが通過する挿通部を、前記着磁用プレートに複数形成したことを特徴とする圧縮機。
【請求項２】
前記挿通部は、前記固定子と回転子間に対応する位置における前記着磁用プレートの全周に渡って複数形成されていることを特徴とする請求項１に記載の圧縮機。
【発明の詳細な説明】
【技術分野】
【０００１】
本発明は、固定子巻線が巻装された固定子と、回転軸に固定され、磁性金属が埋め込まれた回転子から成る電動要素を備えた圧縮機、特に、電動要素の固定子の固定子巻線への通電により、回転子の磁性金属を着磁する圧縮機に関するものである。
【背景技術】
【０００２】
従来よりこの種圧縮機は、密閉容器内に駆動手段としての電動要素と、この電動要素の回転軸にて駆動される圧縮要素とを備えて構成されている。上記電動要素は、固定子巻線が巻装された固定子と、回転軸に固定され、永久磁石（磁性金属）が埋め込まれた回転子から成る。
【０００３】
ところで、このような圧縮機では、回転子に永久磁石を埋め込む際に、当該磁石の磁力が邪魔をして、埋め込み作業に手間がかかるため、回転子に磁化されていない磁性金属を埋め込んで、その後、固定子巻線に通電して、当該固定子巻線に磁束を生じさせ、この磁束により磁性金属を着磁して永久磁石としていた。
【０００４】
この場合、磁性金属の着磁する際に、永久磁石と成りつつある状態の磁性金属に更に磁束を通過させると永久磁石（磁性金属）に反発力が生じて、回転子が回転する不都合が生じる。そこで、係る回転子の回転を防止するため、回転軸の一端に着磁位置決め溝が形成された着磁用プレートを取り付けて、着磁を行う際に、当該位置決め溝に着磁用の治具を係合し、回転軸の回転（即ち、回転子の回転）を阻止した状態で固定子巻線に通電していた。このとき、着磁用プレートの位置決め溝に着磁用の治具を係合して通電する際に、固定子巻線に生じる最大磁束量が回転子に埋め込まれた磁性金属の中央を通過するように着磁位置決め溝を位置決めして、当該溝に治具を係合し、固定子巻線に通電していた。これにより、回転子の回転を防止して、磁性金属に所望の大きさの磁力を着磁して永久磁石とすることができる（例えば、特許文献１参照）。
【特許文献１】特開平８−３３２７６号公報
【発明の開示】
【発明が解決しようとする課題】
【０００５】
ところで、このような圧縮機では、固定子と回転子との間に構成されるクリアランスに偏りが生じると、回転子への磁気吸引力のアンバランスにより圧縮動作の反作用である荷重が増加し、電動要素の入力が増加するという問題が生じるので、圧縮機を組み立てる際に、固定子と回転子との間に均一なクリアランスが形成されるように取り付ける必要があった。
【０００６】
そこで、従来では着磁用プレートに形成された着磁位置決め溝からギャップゲージを挿入して固定子と回転子とのクリアランスを設定していたが、この場合、着磁用プレートに形成された着磁位置決め溝のみからしかギャップゲージを挿入することができないので、均一なクリアランスを設定することが困難であった。
【０００７】
そこで、本発明は係る従来の技術的課題を解決するために成されたものであり、固定子と回転子間のギャップクリアランスを、均一に設定できる圧縮機を提供することを目的とする。
【課題を解決するための手段】
【０００８】
本発明の圧縮機は、密閉容器内に収納された電動要素及びこの電動要素の回転軸にて駆動される圧縮要素とを備え、電動要素は固定子巻線が巻装された固定子と、回転軸に固定され、磁性金属が埋め込まれた回転子とから成り、固定子の固定子巻線への通電により、回転子の磁性金属を着磁して成るものであって、回転軸に取り付けられ、磁性金属の着磁の際の回転子の回り止めとして利用される着磁用プレートを備え、固定子と回転子間にギャップゲージを挿入する際に当該ギャップゲージが通過する挿通部を、着磁用プレートに複数形成したことを特徴とする。
【０００９】
請求項２の発明の圧縮機は、請求項１に記載の発明において挿通部は、固定子と回転子間に対応する位置における着磁用プレートの全周に渡って複数形成されていることを特徴とする。
【発明の効果】
【００１０】
本発明によれば、密閉容器内に収納された電動要素及びこの電動要素の回転軸にて駆動される圧縮要素とを備え、電動要素は固定子巻線が巻装された固定子と、回転軸に固定され、磁性金属が埋め込まれた回転子とから成り、固定子の固定子巻線への通電により、回転子の磁性金属を着磁して成る圧縮機において、回転軸に取り付けられ、磁性金属の着磁の際の回転子の回り止めとして利用される着磁用プレートを備え、固定子と回転子間にギャップゲージを挿入する際に当該ギャップゲージが通過する挿通部を、着磁用プレートに複数形成したので、多数箇所で固定子と回転子間のギャップクリアランスを設定でき、より均一なクリアランスを設定できるようになる。
【００１１】
特に、請求項２の発明の如く挿通部を、固定子と回転子間に対応する位置における着磁用プレートの全周に渡って複数形成するものとすれば、着磁位置に関わりなくギャップゲージを挿通できる。これにより、組立作業性を改善することができるようになる。
【発明を実施するための最良の形態】
【００１２】
本発明は、従来の着磁用プレートに形成された着磁位置決め溝にギャップゲージを挿入して、固定子と回転子間のギャップクリアランスを設定するものでは、ギャップゲージを着磁位置決め溝からのみしか挿入することができないので、均一なクリアランスを設定することが困難であるという問題を解消するために成されたものである。このように、固定子と回転子間のギャップクリアランスを、均一に設定するというという目的を、回転軸に取り付けられ、磁性金属の着磁の際の回転子の回り止めとして利用される着磁用プレートに、固定子と回転子間にギャップゲージを挿入する際に当該ギャップゲージが通過する挿通部を複数形成することにより実現した。以下、図面に基づき本発明の実施の形態を詳述する。
【００１３】
図１は、本発明を適用した一実施例のスクロール圧縮機の縦断側面図である。本実施例では、本発明を図１に示すスクロール圧縮機Ｃに適用して説明するが、本発明の圧縮機は実施例のスクロール圧縮機Ｃに限定されるものでなく、密閉容器内に収納された電動要素及びこの電動要素の回転軸にて駆動される圧縮要素とを備え、電動要素は固定子巻線が巻装された固定子と、回転軸に固定され、磁性金属が埋め込まれた回転子とから成り、固定子の固定子巻線への通電により、回転子の磁性金属を着磁して成る圧縮機であればどのような圧縮機であっても本発明は有効である。例えば、本発明を電動要素の回転軸にて駆動される回転圧縮要素を備えたロータリ型の圧縮機（ロータリーコンプレッサ）に適用するものとしても差し支えない。
【００１４】
図１において、１は密閉容器である。この密閉容器１は、縦長円筒状を呈する容器本体１Ａと、この容器本体１Ａの両端（上下両端）にそれぞれ溶接固定された略椀状を呈するエンドキャップ１Ｂ及びボトムキャップ１Ｃとから構成されている。
【００１５】
この密閉容器１内には、下側に駆動手段としての電動要素３、上側に電動要素３の回転軸５にて駆動される圧縮要素がそれぞれ収納されている。この圧縮要素２と電動要素３間の密閉容器１内には、上部支持フレーム（メインフレーム）４が収納されており、この上部支持フレーム４には中央に軸受部６とボス収容部２２とが形成されている。この軸受部６は、回転軸５の先端（上端）側を軸支するためのものであり、当該上部支持フレーム４の一方の面（下側の面）の中央から下方に突出して形成されるている。また、ボス収容部２２は後述する揺動スクロール１５のボス２４を収容するためのものであり、上部支持フレーム４の他方の面（上側の面）の中央を下方に凹陥することにより形成されている。
【００１６】
また、電動要素３の下部の密閉容器１内には、下部支持フレーム（ベアリングプレート）７が収納されており、この下部支持フレーム７の中央には軸受け８が形成されている。この軸受け８は、回転軸５の末端（下端）側を軸支するためのものであり、当該下部支持フレーム７の一方の面（下側の面）の中央から下方に突出して形成されている。また、軸受け８の下面にはカバー８Ａが設けられ、当該カバー８Ａは複数（実施例では３本）のボルト９により軸受け８に固定されている。そして、当該下部支持フレーム７の下側の空間、即ち、密閉容器１内の底部は、圧縮要素２等を潤滑する潤滑油が貯留される油溜め６５とされている。
【００１７】
前記回転軸５の先端（上端）には、偏心軸２３が形成されている。この偏心軸２３は、中心が回転軸５の軸心と偏心して設けられると共に、図示しないスライドブッシュ及び旋回軸受けを介して、ボス２４に旋回駆動可能に挿入されている。
【００１８】
一方、前記圧縮要素２は、固定スクロール１４と揺動スクロール１５とで構成されている。固定スクロール１４は、円形状の鏡板１６と、この鏡板１６の一方の面（下側の表面）に立設されたインボリュート状、又は、これに近似した曲線からなる渦巻状のラップ１７と、このラップ１７の周囲を取り囲むように立設された周壁１８と、この周壁１８の周囲に設けられ、外周縁が密閉容器１の容器本体１Ａの内面に焼き嵌めされたフランジ１９とで構成されている。固定スクロール１４の鏡板１６の中央部には、密閉容器１内の上側の空間１１に連通する吐出孔１３が形成されている。そして、固定スクロール１４はラップ１７の突出方向を下方とされている。
【００１９】
本実施例の構成では、固定スクロール１４の鏡板１６の他方の面（上側の面）３０が密閉容器１内の上側の空間１１に臨むよう構成されている。この上面３０には、吐出孔１３に連なる吐出弁と、この吐出弁に隣接して複数のリリース弁とが設けられている（吐出弁及びリリース弁は共に図示しない）。当該リリース弁は、冷媒の過圧縮を防止するために設けられたものであり、図示しないリリースポートを介して圧縮過程の圧縮空間２５と連通されている。
【００２０】
具体的に、圧縮過程の冷媒圧力が吐出孔１３に至る以前に吐出圧力に達すると、リリース弁が開放されて、圧縮空間２５内の冷媒がリリースポートを介して外部に吐出されることとなる。
【００２１】
一方、前記揺動スクロール１５は、上述した固定スクロール１４に対して旋回するスクロールであり、円板状の鏡板２０と、この鏡板２０の一方の面（上側の表面）に立設されたインボリュート状、又は、これに近似した曲線からなる渦巻状のラップ２１と、鏡板２０の他方の面（下側の面）の中央に突出形成された前述したボス２４とで構成されている。そして、揺動スクロール１５はラップ２１の突出方向を上方として、このラップ２１が固定スクロール１４のラップ１７に１８０度回し、向かい合って噛み合うように配置され、内部のラップ１７、２１間に複数の圧縮空間２５が形成されている。
【００２２】
即ち、揺動スクロール１５のラップ２１は、固定スクロール１４のラップ１７と対向し、両ラップ２１、１７の先端面が相手の底面に接するように噛み合い、且つ、揺動スクロール１５は回転軸５の軸心から偏心して設けられた偏心軸２３に嵌合されているため、２つの渦巻状のラップ２１、１７は、互いに偏心して、その偏心方向の線上で接して閉じこめられた複数の空間２５を作り、この空間２５の各々が圧縮室となる。
【００２３】
前記固定スクロール１４は、その周壁１８の周囲に設けられたフランジ１９が複数のボルト（図示せず）を介して上部支持フレーム４に支持されている。また、揺動スクロール１５は、オルダムリング４０を介して支持フレーム４に支持されている。このオルダムリング４０は、揺動スクロール１５を固定スクロール１４に対して自転しないように円軌道上を公転させるためのものであり、相対向する位置に上側に突出して形成された図示しない一対のオルダムキーを備える。これらオルダムキーは、固定スクロール１４の下面に形成されたキー溝（図示せず）に摺動自在に係合する。この場合、オルダムリング４０は、揺動スクロールの旋回に伴い固定スクロール１４と上部支持フレーム４との間に形成された摺動スペース４３内をオルダムキーの延出方向に沿って摺動する。
【００２４】
更に、揺動スクロール１５は、固定スクロール１４に対して偏心して公転するため、２つの渦巻状のラップの偏心方向と接触位置は回転しながら移動し、前記圧縮室は外側から内側の圧縮空間２５に向かって移りながら縮小していく。最初、外側の圧縮空間２５から入り込んで閉じこめられた低圧の冷媒ガスは、断熱圧縮されながら内側に移動し、最後に中央部に到達するときには、高温高圧の冷媒ガスとなる。この冷媒ガスは、当該中央部に設けられた吐出孔１３を介して空間１１に送り出される。
【００２５】
一方、前記電動要素３は、密閉容器１に固定された固定子５０と、この固定子５０の内側に配置され、固定子５０内で回転する回転子５２とから構成されており、この回転子５２の中心に回転軸５が嵌合されている。固定子５０は、複数枚の電磁鋼板を積層した積層体から成り、この積層体の歯部に直巻き（集中巻き）方式により巻装された固定子巻線５１を有している。また、回転子５２も固定子５０と同様に電磁鋼板の積層体で形成され、この積層体内に永久磁石（磁性金属）５３を挿入して構成されている。
【００２６】
当該永久磁石５３は、回転子５２に埋め込む前から、磁化された状態であると、磁力が邪魔をして埋め込み作業に手間がかかるため、回転子５２に磁化されていない磁性金属５３を埋め込んで、その後、固定子巻線５１に通電し、当該固定子巻線５１に磁束を生じさせて、この磁束により磁性金属５３を着磁して永久磁石としている。
【００２７】
また、回転軸５の内部には当該回転軸５の軸方向に沿って図示しない油路が形成されており、この油路は、回転軸５の下端に位置する吸込口６１を備え、当該吸込口６１が油溜め６５に貯留された潤滑油に浸漬されて、潤滑油中に開口している。また、油路には各軸受けに対応する位置に潤滑を給油する給油口が形成されて、係る構成により、回転軸５が回転すると、油溜め６５に貯留された潤滑油が回転軸５の吸込口６１から油路に入り、上方に汲み上げられる。そして、汲み上げられた潤滑油は各給油口等を介して各軸受けや圧縮要素２の摺動部に供給されることとなる。
【００２８】
他方、前記密閉容器１には、当該密閉容器１内の下側の空間１２内に冷媒を導入するための冷媒導入管６７と、圧縮要素２にて圧縮され、前記吐出孔１３を介して密閉容器１内の上側の空間１１に吐出された冷媒を外部に吐出するための冷媒吐出管６８とが設けられている。本実施例では、冷媒導入管６７は密閉容器１の容器本体１Ａの側面に溶接固定され、冷媒吐出管６８はエンドキャップ１Ｂの側面に溶接固定されている。
【００２９】
図２は、スクロール圧縮機Ｃを図１に示す一点鎖線で切断して、矢印方向から見た図である。図２において、７は前述した下部支持フレーム、８Ａは下部支持フレーム７の下側に配置され、ボルト９により当該下部支持フレーム７に固定されたカバーである。更に、５５は、着磁用プレートである。当該着磁用プレート５５は、磁性金属５３の着磁の際の前記回転子５２の回り止めとして利用されるものであり、回転軸５に取り付けられている。
【００３０】
以上の構成で、次にスクロール圧縮機Ｃの組立手順を説明する。先ず、予め電動要素３の回転子５２に磁化されていない状態の磁性金属５３を埋め込んで組み立てておく。また、固定子５０の積層体の歯部に固定子巻線５１を装着（巻装）して組み立てておく。
【００３１】
同様に、圧縮要素２を予め組み立てておく。具体的に、固定スクロール１４をラップ１７を上向きとして置いた状態で、その上にラップ２１を下向きとした揺動スクロール１５を被せてラップ１７とラップ２１とを噛み合わせる。次に、オルダムリング４０をオルダムキーを下側として揺動スクロール１５の図示しないキー溝に係合させて、オルダムキー及びキー溝と９０度ずれた位置の固定スクロール７にネジ止めし、オルダムリング４０より上側に突出させた状態で各キー溝内に係合させておく。
【００３２】
そして、上述の如く組み立てられた圧縮要素２の固定スクロール１４の揺動スクロール１５が位置する側とは反対側に上記回転軸５の偏心軸２３及び上部支持フレーム４を配置し、当該上部支持フレーム４と固定スクロール１５のフランジ１９とをボルトで固定して、圧縮要素２、上部支持フレーム４及び回転軸５とを一体化しておく。更に、上記回転軸５２の末端（下端）側から回転子５２を取り付ける。これにより、圧縮要素２、上部支持フレーム４、回転軸５及び回転子５２とが一体化された状態となる。
【００３３】
そして、容器本体１Ａ内に固定子巻線５１が装着された固定子５０を挿入し、容器本体１Ａの内周面に固定子５０の外周面を焼嵌めにて仮固定する。次に、容器本体１Ａの固定子５０が固定された側とは反対側（上側）の開口から上記圧縮要素２、上部支持フレーム４及び回転軸５と一体化された回転子５を固定子５０内に挿入して、上部支持フレーム４と容器本体１Ａとを隙間嵌め、若しくは、焼嵌めにて固定する。更に、回転軸５の末端（下端）側に着磁用プレート５５を圧入、若しくは、焼嵌めによって取り付ける。そして、下部支持フレーム７を容器本体１Ａ内に挿入する。このとき、下部支持フレーム７の軸受け８により、回転軸５の末端（下端）が軸支されるように配置した状態で下部支持フレーム７と容器本体１Ａとを、隙間嵌め、若しくは、焼嵌めにて固定する。
【００３４】
次に、固定子５０と回転子５２とのクリアランスを設定する。具体的には、容器本体１Ａの電動要素３側の開口から固定子５０と回転子５２との間にギャップゲージ５８を挿入し、当該固定子５０と回転子５２との間のクリアランスを確保した状態で、上述した上下支持フレーム４、７を容器本体１Ａに溶接固定する。そして、ギャップゲージ５８を抜き取った後、回転子５２に埋め込まれた磁性金属５３の着磁を行う。
【００３５】
この場合、上述したように磁化されていない磁性金属５３を予め回転子５２に埋め込み、その後、固定子巻線５１に通電して、磁性金属５３を着磁して永久磁石とする場合、永久磁石となりつつある状態の磁性金属５３に磁束を更に通過させると、永久磁石（磁性金属５３）に反発力が生じて、回転子５２が回転するようになる。
【００３６】
このため、磁性金属５３を着磁する際、回転子５２が回転しないように固定する必要がある。そこで、着磁用プレート５５には、回転止め用の治具を係合するための着磁位置決め用溝５６が形成されている。そして、磁性金属５３の着磁を行う場合には、着磁位置決め溝５６に着磁用の装置の治具を係合し、回転軸５の回転（即ち、回転子５２の回転）を阻止した状態で固定子巻線５１に通電する。この場合、着磁用プレート５５の着磁位置決め溝５６から着磁用の治具を係合して通電する際に、固定子巻線５１に生じる最大磁束量が回転子５２に埋め込まれた磁性金属５３の中央を通過するように通電できるように位置決め溝５６を位置決めして、当該溝５６に治具を係合して、固定子巻線５１に通電する。これにより、回転軸５の回転を阻止しながら、磁性金属５３に所望の大きさの磁力を着磁して永久磁石とすることができる。
【００３７】
上述したように磁性金属５３を着磁して永久磁石とした後、着磁用装置を取り外す。そして、容器本体１Ａの両開口にエンドキャップ１Ｂ及びボトムキャップ１Ｃとを取り付けて、接続箇所を溶接固定する。これにより、スクロール圧縮機Ｃが組み立てられる。
【００３８】
ところで、従来のスクロール圧縮機では、当該スクロール圧縮機の組立において、固定子と回転子とのクリアランスを設定する場合、回転軸に着磁の際の回転軸の回転を防止するための着磁用プレートが取り付けられている関係上、当該着磁用プレートに形成された着磁位置決め溝のみからしか固定子と回転子との間にギャップゲージを挿入することができない。即ち、従来の圧縮機では、着磁用プレートに形成された着磁位置決め溝から固定子と回転子との間にギャップゲージを挿入して固定子と回転子とのクリアランスを設定していた。
【００３９】
図６は従来のスクロール圧縮機の密閉容器内部を底面から見た図、図７は図６のスクロール圧縮機の組立時において、ギャップゲージを挿入した状態の密閉容器内部を底面から見た図をそれそれ示している。尚、図６及び図７において、図１乃至図５と同様の符号が付されているものは、同様、或いは、類似の効果、若しくは、作用を奏するものとする。
【００４０】
各図（図６及び図７）において、１５５は回転軸５に取り付けられた従来の着磁用プレートである。当該着磁用プレート１５５には４箇所の着磁位置決め用溝５６が形成されている。この着磁位置決め用溝５６は、前述したように磁性金属を着磁する際、回転子５２が回転しないように回転子５２を固定するための治具を係合するための溝であり、下部支持フレーム７に重ならない位置となるように配置されている。このような従来の着磁用プレート１５５が回転軸５に取り付けられた圧縮機Ｃでは、圧縮機Ｃの組立時において、固定子と回転子との間のクリアランスを設定する際に、図７に示すように着磁用プレート１５５に形成された着磁位置決め溝５６からギャップゲージ５８を挿入して固定子と回転子とのクリアランスを設定していた。
【００４１】
しかしながら、この場合、固定子と回転子との間に挿入できるギャップゲージ５８は、着磁用プレートに形成された着磁位置決め溝５６のみから、即ち、４箇所のみであり、係る構成では、固定子と回転子との間に均一なクリアランスを設定することは困難であり、固定子と回転子との間に構成されるクリアランスに偏りが生じたる恐れがあった。
【００４２】
このように、固定子と回転子との間に構成されるクリアランスに偏りが生じると、回転子への磁気吸引力のアンバランスにより圧縮動作の反作用である荷重が増加し、電動要素の入力が増加するという不都合が生じることとなる。
【００４３】
そこで、本発明は着磁用プレート５５に固定子５０と回転子５２間にギャップゲージ５８を挿入する際に当該ギャップゲージ５８が通過する挿通部５７を形成するものとする。この挿通部５７は、図２に示すように固定子５０と回転子５２間に対応する位置における着磁用プレート５５の全周に渡って複数形成されている。実施例の挿通部５７は、着磁用プレート５５を軸心方向（上下方向）に貫通するよう全周に渡って形成された孔から成り、この孔が着磁用プレート５５の全周に渡って複数形成されている。
【００４４】
そして、圧縮機Ｃの組立時において、固定子５０と回転子５２との間のクリアランスを設定する際には、図３及び図４に示すように着磁用プレート５５に形成された着磁位置決め溝５６及び下部支持フレーム７に重ならない位置の挿通部５７にギャップゲージ５８を挿入して固定子５０と回転子５２とのクリアランスを設定する。尚、図５は本実施例で用いるギャップゲージ５８の拡大図である。
【００４５】
この場合、着磁位置決め溝５６に加えて、下部支持フレーム７に重ならない位置に在る挿通部５７であれば、何れの挿通部５７にもギャップゲージ５８を通して、固定子５０と回転子５２間に挿入することができる。従って、より多くのギャップゲージ５８を固定子５０と回転子５２間に挿入することができる。これにより、多数箇所で固定子５０と回転子５２間のギャップクリアランスを設定でき、より均一なクリアランスを設定できるようになる。
【００４６】
特に、挿通部５７を固定子５０と回転子５２間に対応する位置における着磁用プレート５５の全周に渡って複数形成することで、着磁位置を考慮して配置されている着磁位置決め溝５６意外の箇所（即ち、挿通部５７）にギャップゲージ５８を挿通できるので、着磁位置に関わりなくギャップゲージ５８を挿通できるようになる。これにより、固定子５０と回転子５２との間のクリアランスの設定が容易となり、組立作業性を改善することができるようになる。
【００４７】
尚、本実施例では着磁を行う際に、本発明の挿通部５７に加えて、着磁用プレート５５に通常形成される着磁位置決め用溝５６にもギャップゲージ５８を挿通して、固定子５０と回転子５２との間のクリアランスを設定するものとした。この場合には、より多くのギャップゲージ５８を固定子５０と回転子５２との間に挿入できるので、より均一なクリアランスを容易に設定できるという効果が得られる。しかしながら、当該クリアランスの設定時に着磁位置決め溝５６ギャップゲージ５８を挿入せずに、本発明の挿通部５７のみに挿入するものとしても本発明は有効である。この場合には、着磁位置決め溝５６にギャップゲージ５８を挿入する必要が無くなる。従って、ギャップゲージ５８の寸法等を考慮して着磁位置決め溝５６を形成する必要が無くなるので、当該着磁位置決め用溝５６の設計も容易となる。
【００４８】
また、本実施例では挿通部５７を、着磁用プレート５５を軸心方向（上下方向）に貫通する孔としたが、本発明の挿通部は、固定子と回転子間にギャップゲージを挿入する際に当該ギャップゲージが通過可能なものであれば良く、例えば、溝であっても差し支えない。
【図面の簡単な説明】
【００４９】
【図１】本発明を適用した一実施例のスクロール圧縮機の縦断側面図である。
【図２】図１のスクロール圧縮機の密閉容器内部を底面から見た図である。
【図３】本実施例のスクロール圧縮機にギャップゲージを挿入した状態の縦断側面図である。
【図４】図２のスクロール圧縮機の密閉容器内部を底面から見た図である。
【図５】図３に示すギャップゲージの拡大図である。
【図６】従来のスクロール圧縮機の密閉容器内部を底面から見た図である。
【図７】従来のスクロール圧縮機にギャップゲージを挿入した状態の密閉容器内部を底面から見た図である。
【符号の説明】
【００５０】
Ｃ    スクロール圧縮機（圧縮機）
１    密閉容器
１Ａ  容器本体
１Ｂ  エンドキャップ
１Ｃ  ボトムキャップ
２    圧縮要素
３    電動要素
４    上部支持フレーム
５    回転軸
６    軸受部
７    下部支持フレーム
８    軸受け
９    ボルト
１１  上側空間
１２  下側空間
１３  吐出孔
１４  固定スクロール
１５  揺動スクロール
１６、２０  鏡板
１７、２１  ラップ
１８  周壁
１９  フランジ
２２  ボス収容部
２３  偏心軸
２４  ボス
２５  圧縮室
３０  上面
４０  オルダムリング
４３  摺動スペース
５０  固定子
５１  固定子巻線
５２  回転子
５３  磁性金属（永久磁石）
５５  着磁用プレート
５６  着磁位置決め用溝
５７  挿通部
５８  ギャップゲージ
６１  吸込口
６５  油溜め
６７  冷媒導入管
６８  冷媒吐出管
【図１】
0005070106.tif 000002
【図２】
0005070106.tif 000003
【図３】
0005070106.tif 000004
【図４】
0005070106.tif 000005
【図５】
0005070106.tif 000006
【図６】
0005070106.tif 000007
【図７】
0005070106.tif 000008